(57)【特許請求の範囲】
【請求項１】
１つのトラックとして１単位が形成される音声情報が記録されるとともに、管理情報として、各トラックに対応して文字情報を記録することができる文字記録領域が用意されている記録媒体に対応する記録装置として、
記録媒体に対応して情報を書き込むことのできる記録手段と、
文字入力操作に応じて、前記記録手段により記録媒体の文字記録領域に対してトラックに対応する文字情報を記録させることができるとともに、所定の操作手段の操作に応じて、そのトラックの再生時に所定の動作を実行させるための特定の制御文字情報を発生させ、必要に応じて所定の区切りコードで任意の文字情報とは区別した状態で、文字記録領域に記録させることができる文字記録制御手段と、
を備え、
前記制御文字情報は、そのトラックの再生時に、再生動作がトラック再生終了までの残り時間量がｎとなった時点に達したことを提示する動作を実行させるための制御文字情報であり、かつ、前記時間量ｎの値を指定する文字が含まれていることを特徴とする記録装置。
【請求項２】
前記制御文字情報は、そのトラックの再生時において、再生開始時のフェードイン動作、又は再生終了時のフェードアウト動作を実行させるための制御文字情報であり、かつ、フェードイン動作期間又はフェードアウト動作期間を指定する文字が含まれていることを特徴とする請求項１に記載の記録装置。
【請求項３】
１つのトラックとして１単位が形成される音声情報が記録されるとともに、管理情報として、各トラックに対応して文字情報を記録することができる文字記録領域が用意されている記録媒体に対応する再生装置として、
記録媒体から情報を読み出すことのできる再生手段と、
前記再生手段によって或るトラックの再生動作を実行する際に、そのトラックに対応する文字情報を記録媒体の文字記録領域から読み出させ、読み出された文字情報に所定の制御文字情報が含まれていたら、トラックの再生動作に関する動作としてその制御文字情報に応じた動作制御を実行することができる再生制御手段と、
を備えるとともに、情報を提示出力する提示手段を有し、
前記再生制御手段は、文字情報に含まれていた制御文字情報が、そのトラックの再生時に再生動作がトラック再生終了までの残り時間量がｎとなった時点に達したことを提示する動作を実行させるための制御文字情報であった場合は、トラック再生動作が残り時間量ｎの状態まで進んだ時点から、前記提示手段によって所要の提示動作を実行させることができるように構成されることを特徴とする再生装置。
【請求項４】
音声データ出力についてフェード出力させることのできるフェーダ手段を有し、前記再生制御手段は、文字情報に含まれていた制御文字情報が、そのトラックの再生時において再生開始時のフェードイン動作、又は再生終了時のフェードアウト動作を実行させるための制御文字情報であった場合は、その制御文字情報で指定された期間において、前記フェーダ手段にフェードイン動作又はフェードアウト動作を実行させることができるように構成されていることを特徴とする請求項３に記載の再生装置。
【発明の詳細な説明】
【０００１】
【産業上の利用分野】
本発明は音声データなどを記録／再生する記録媒体についての記録装置、再生再生装置に関するものである。
【０００２】
【従来の技術】
光磁気ディスクを用いたミニディスクシステムのように、ユーザーが音楽データ等を記録することのできる記録媒体が普及している。
この、データ書き換え可能なミニディスクシステムでは、ディスクの内周側位置には管理情報としてＰ−ＴＯＣ（プリマスタードＴＯＣ）、Ｕ−ＴＯＣ（ユーザーＴＯＣ）を記録するエリアが設けられている。
Ｐ−ＴＯＣではディスク上の基本的なエリア構成等が記録され、またＵ−ＴＯＣは記録された各トラックのアドレスや未記録領域（フリーエリア）のアドレス、さらにトラック録音日時情報や文字情報が記録されるように構成されている。このユーザーＴＯＣは記録や編集動作に応じて書き換えられるようになされている。
【０００３】
例えばミニディスク記録装置で或る楽曲の録音を行なおうとする際には、記録装置はＵ−ＴＯＣからディスク上のフリーエリアを探し出し、ここにトラックとなる音声データを記録していく。また、再生装置においては再生すべき楽曲（トラック）が記録されているエリアをＵ−ＴＯＣから判別し、そのエリアにアクセスして再生動作を行なう。さらに、トラックを消去する場合は、Ｕ−ＴＯＣ上でそのトラックをフリーエリアに組み込むことで実行される。また、トラックの分割，連結などはＵ−ＴＯＣ上で該当するトラックのアドレスを変更することで実現される。
【０００４】
さらに各トラックに付随するデータとしてトラックネームや録音日時等を記録することができ、記録したトラックについての名称や録音日時を表示させるなど、多様な動作が実現される。
【０００５】
【発明が解決しようとする課題】
ところで、ミニディスクシステムなどで音楽等を再生させる場合に、特に業務用で使用する場合などは、再生動作に付随して各種制御が必要になる場合がある。例えば或る曲の再生があと１０秒で終了する時点などで、終了が近づいていることを表示部で表示させたり（ＥＯＭ；ｅｎｄ  ｏｆ  ｍｅｓｓａｇｅ）、再生動作をフェードインで開始させ、もしくは再生動作をフェードアウトで終了させるような制御を行ないたい場合が多い。これらの動作は放送業務などではある程度制御タイミングを厳密に管理したいという事情がある。
【０００６】
従来、曲の終了間際に終了が近づいたことを表示させるＥＯＭ動作を実行させるためには、再生装置内のメモリに予めＥＯＭタイミングとなる時間情報を記憶させるようにしている。例えばＥＯＭタイミングを１０秒として記憶させる。
すると、各曲（トラック）の再生動作が、終了まで１０秒の時間となった時点から、表示部で終了間際になったことを提示するような所定の表示が実行される。使用者はこの表示に従って次の曲の再生の準備を行なったり、次のプログラムの開始タイミングを計ったりすることができる。また、他にシステム連係されている機器がある場合は、例えばＥＯＭ情報を他の再生装置の再生動作開始のトリガとして出力することもできる。
【０００７】
ところが、実際の使用上では再生される各トラックや次のプログラムなどに応じて、それぞれ異なるタイミングでＥＯＭ情報が設定できることが好ましい。例えば１曲目は１０秒前にＥＯＭ提示がなされ、２曲目は２０秒前にＥＯＭ提示ななされるなどのようにトラック単位で設定できると都合がよいことが多い。しかしながら、これを実現するためには再生装置などに各トラックについてそれぞれＥＯＭタイミングを記憶するメモリが必要となる。特に放送業務などで再生させるべき曲が大量となる場合などは膨大なメモリ空間が必要となり、実現は難しいという問題がある。
また、ＥＯＭ機能だけでなく、曲のフェードイン／フェードアウトなどのタイミング制御、さらにはイコライジングなどの制御についても同様であり、トラック単位でこれらの設定を可変させることは難しい。
【０００８】
【課題を解決するための手段】
本発明はこのような問題に鑑みて、トラック単位で再生時の各種動作制御についての設定を行なうことができるようにすることを目的とする。
【０００９】
このため、１つのトラックとして１単位が形成される音声情報が記録されるとともに、管理情報として、各トラックに対応して文字情報を記録することができる文字記録領域が用意されている記録媒体に対応する記録装置として、記録媒体に対応して情報を書き込むことのできる記録手段と、文字記録制御手段を設ける。
文字記録制御手段は、文字入力操作に応じて記録手段により、記録媒体の文字記録領域に対してトラックに対応する文字情報を記録させることができる。さらに、所定の操作手段の操作に応じて、そのトラックの再生時に所定の動作を実行させるための特定の制御文字情報を発生させ、必要に応じて所定の区切りコードで任意の文字情報とは区別した状態で文字記録領域に記録させることができるようにする。
【００１０】
ここで、制御文字情報は、そのトラックの再生時に、再生動作がトラック再生終了までの残り時間量がｎとなった時点に達したことを提示する動作を実行させるための制御文字情報であり、かつ、時間量ｎの値を指定する文字が含まれているものとする。
【００１１】
また、制御文字情報は、そのトラックの再生時において、再生開始時のフェードイン動作、又は再生終了時のフェードアウト動作を実行させるための制御文字情報であり、かつ、フェードイン動作期間又はフェードアウト動作期間を指定する文字が含まれているものとする。
【００１２】
次に、１つのトラックとして１単位が形成される音声情報が記録されるとともに、管理情報として、各トラックに対応して文字情報を記録することができる文字記録領域が用意されている記録媒体に対応する再生装置として、記録媒体から情報を読み出すことのできる再生手段と、再生制御手段を設ける。
再生制御手段は、再生手段によって或るトラックの再生動作を実行する際に、そのトラックに対応する文字情報を記録媒体の文字記録領域から読み出させ、読み出された文字情報に所定の制御文字情報が含まれていたら、トラックの再生動作に関する動作としてその制御文字情報に応じた動作制御を実行することができるようにする。
【００１３】
ここで、情報を提示出力する提示手段を設け、再生制御手段は、文字情報に含まれていた制御文字情報が、そのトラックの再生時に再生動作がトラック再生終了までの残り時間量がｎとなった時点に達したことを提示する動作を実行させるための制御文字情報であった場合は、トラック再生動作が残り時間量ｎの状態まで進んだ時点から、提示手段によって所要の提示動作を実行させることができるように構成する。
【００１４】
また、音声データ出力についてフェード出力させることのできるフェーダ手段を設け、再生制御手段は、文字情報に含まれていた制御文字情報が、そのトラックの再生時において再生開始時のフェードイン動作、又は再生終了時のフェードアウト動作を実行させるための制御文字情報であった場合は、その制御文字情報で指定された期間において、フェーダ手段にフェードイン動作又はフェードアウト動作を実行させることができるように構成する。
【００１５】
【作用】
記録媒体上において各トラックに対応する文字を記録することができる領域が用意されている場合、その文字記録領域を利用して、再生動作時に必要な制御のための情報を、各トラックに対応して個別に記録することができる。
即ちＥＯＭ機能やフェードイン／フェードアウトなどのための制御情報となる特定の文字を設定しておけば、トラック単位でこれらをの制御動作を可変設定することが可能となる。
【００１６】
【実施例】
以下、図１〜図１０を用いて本発明の実施例として、光磁気ディスク（ミニディスク）記録再生装置を例にあげ、次の順序で説明する。
１．記録再生装置の構成
２．Ｐ−ＴＯＣセクター
３．Ｕ−ＴＯＣセクター
・Ｕ−ＴＯＣセクター０
・Ｕ−ＴＯＣセクター１
４．ＥＯＭ制御動作
５．フェードイン／フェードアウト制御動作
６．他の各種制御動作
【００１７】
１．記録再生装置の構成
図１は記録再生装置の要部のブロック図を示している。
図１において、１は例えば音声データトラックが記録されている光磁気ディスクを示している。
ディスク１に記録されている楽曲等の音声データは、４４．１ＫＨｚ  サンプリングで１６ビット量子化によるデジタルデータが変形ＤＣＴ（Ｍｏｄｉｆｉｅｄ  Ｄｉｓｃｒｅａｔｅ  Ｃｏｓｉｎｅ  Ｔｒａｎｓｆｏｒｍ  ）圧縮技術により約１／５に圧縮され、さらにＥＦＭ変調及びＣＩＲＣエンコードが施されたデータとされている。
【００１８】
この光磁気ディスク１はスピンドルモータ２により回転駆動される。３は光磁気ディスク１に対して記録／再生時にレーザ光を照射する光学ヘッドであり、記録時には記録トラックをキュリー温度まで加熱するための高レベルのレーザ出力をなし、また再生時には磁気カー効果により反射光からデータを検出するための比較的低レベルのレーザ出力をなす。
このため、光学ヘッド３はレーザ出力手段としてのレーザダイオード、偏向ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００１９】
また、６ａは供給されたデータによって変調された磁界を光磁気ディスクに印加する磁気ヘッドを示し、光磁気ディスク１を挟んで光学ヘッド３と対向する位置に配置されている。光学ヘッド３全体及び磁気ヘッド６ａは、スレッド機構５によりディスク半径方向に移動可能とされている。
【００２０】
再生動作によって、光学ヘッド３により光磁気ディスク１から検出された情報はＲＦアンプ７に供給される。ＲＦアンプ７は供給された情報の演算処理により、再生ＲＦ信号、トラッキングエラー信号、フォーカスエラー信号、グルーブ情報（光磁気ディスク１にプリグルーブ（ウォブリンググルーブ）として記録されている絶対位置情報）等を抽出する。そして、抽出された再生ＲＦ信号はエンコーダ／デコーダ部８に供給される。また、トラッキングエラー信号、フォーカスエラー信号はサーボ回路９に供給される。
絶対位置情報がＦＭ変調されて記録されているグルーブ情報はアドレスデコーダ１０に供給され、復調及びデコード処理が施されて絶対位置情報とされ、システムコントローラ１１に供給されることになる。
さらにエンコーダ／デコーダ部８で検出されるデータとして記録されているアドレス情報や制御動作に供されるサブコードデータはシステムコントローラ１１に供給され、各種の制御動作に用いられる。
システムコントローラ１１は記録／再生／編集等の各種動作を制御するためにマイクロコンピュータによって構成されている。１１ａはシステムコントローラ１１内におけるＲＡＭであり、例えばＳ−ＲＡＭによって構成されている。
【００２１】
サーボ回路９は供給されたトラッキングエラー信号、フォーカスエラー信号や、システムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御をなし、またスピンドルモータ２を一定線速度（ＣＬＶ）に制御する。
【００２２】
再生ＲＦ信号はエンコーダ／デコーダ部８でＥＦＭ復調、ＣＩＲＣ等のデコード処理された後、メモリコントローラ１２によって、一旦、Ｄ−ＲＡＭにより形成されているバッファＲＡＭ１３に書き込まれる。なお、光学ヘッド３による光磁気ディスク１からのデータの読み取り及び光学ヘッド３からバッファＲＡＭ１３までの系における再生データの転送は１．４１Ｍｂｉｔ／ｓｅｃで、しかも間欠的に行なわれる。
【００２３】
バッファＲＡＭ１３に書き込まれたデータは、再生データの転送が０．３Ｍｂｉｔ／ｓｅｃ  となるタイミングで読み出され、エンコーダ／デコーダ部１４に供給される。そして、変形ＤＣＴ処理による音声圧縮処理に対するデコード処理により量子化１６ビットの出力デジタル信号とされる。
【００２４】
出力デジタル信号は、例えばＤＳＰ（デジタルシグナルプロセッサ）などにより形成される音声処理部１５に供給され、各種音響的な処理が施される。この音声処理部１５では、システムコントローラ１１からの係数制御により、音量調整処理、アッテネート処理、音声出力レベルを徐々に上げていくフェードイン処理、音声出力レベルを徐々に下げていくフェードアウト処理、イコライジング処理等が可能とされる。また、ディレイ処理、リバーブ処理、コンプレッサ処理等の音響処理も可能としてもよい。
【００２５】
音声処理部１５で所要の処理が施された出力デジタル信号は、Ｄ／Ａ変換器１６によってアナログ信号とされ端子１７ｏｕｔに供給される。そして、端子１７ｏｕｔより所定の回路部を経てヘッドホンやライン出力端子などに供給される。なお、音声処理部１５はアナログ信号処理回路で形成してもよく、その場合はＤ／Ａ変換器１６の後段に配される。
【００２６】
光磁気ディスク１に対して記録動作が実行される際には、入力端子１７ｉｎから入力されたアナログ音声信号が、Ａ／Ｄ変換器１８において４４，１ＫＨｚ  サンプリング、量子化１６ビットのデジタルデータとされた後、エンコーダ／デコーダ部１４に供給される。
【００２７】
エンコーダ／デコーダ部１４では入力されたデジタル音声信号に対して、変形ＤＣＴ処理による音声圧縮エンコードを施す。エンコーダ／デコーダ部１４によって圧縮された記録データはメモリコントローラ１２によって一旦バッファＲＡＭ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００２８】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００２９】
１９はユーザー操作に供されるキーが設けられた操作部であり、再生キー、サーチキー、ＡＭＳキー、停止キー、録音キーなどが設けられる。また、編集操作のためのキーも設けられ、各種編集動作が実行されるようになされている。編集動作としては、トラックやディスクに対応する文字入力編集、トラックの消去、トラックの分割／連結などがある。これらの編集は、後述するＵ−ＴＯＣに対する更新処理により実現される。
２０は表示部であり、再生時や録音時の動作状況、再生／録音中のトラックナンバ、進行時間、モード状態、トラックに対応した文字情報等をシステムコントローラ１１の制御に応じて表示する。
【００３０】
ディスク１に対して記録／再生動作を行なう際には、ディスク１に記録されている管理情報、即ちＰ−ＴＯＣ、Ｕ−ＴＯＣが読み出され、バッファＲＡＭ１３に読み込まれて保持される。例えばディスク装填時にこの読み出しが行なわれる。このためバッファＲＡＭ１３は、上記した記録データ／再生データのバッファエリアと、管理情報を保持するエリアが分割設定されている。
システムコントローラ１１はバッファＲＡＭ１３に読み込んだ管理情報に応じてディスク１上の記録可能な領域や、再生すべきトラックのアドレスを判別して、各種制御を行なうことになる。
【００３１】
また、Ｕ−ＴＯＣはデータの記録や消去に応じて編集されて書き換えられるものであるが、システムコントローラ１１は記録／消去動作のたびにこの編集処理をバッファＲＡＭ１３に記憶されたＵ−ＴＯＣ情報に対して行ない、さらに所定のタイミングでバッファＲＡＭ１３上のＵ−ＴＯＣをディスク１のＵ−ＴＯＣエリアに記録するようにしている。
【００３２】
２．Ｐ−ＴＯＣセクター
ここで、ディスク１においてトラックの記録／再生動作などの管理を行なう管理情報として、まずＰ−ＴＯＣセクターについて説明する。
Ｐ−ＴＯＣ情報としては、ディスクの記録可能エリア（レコーダブルユーザーエリア）などのエリア指定やＵ−ＴＯＣエリアの管理等が行なわれる。なお、ディスク１が再生専用の光ディスクであるプリマスタードディスクの場合は、Ｐ−ＴＯＣによってＲＯＭ化されて記録されている楽曲の管理も行なうことができるようになされている。
【００３３】
図７はＰ−ＴＯＣ用とされる領域（例えばディスク最内周側のＲＯＭエリア）において繰り返し記録されるＰ−ＴＯＣ情報の１つのセクター（セクター０）を示している。なお、Ｐ−ＴＯＣセクターはセクター０〜セクター４まで存在するが、セクター１以降はオプションとされている。
【００３４】
Ｐ−ＴＯＣセクター０のデータ領域（４バイト×５８８  の２３５２バイト）は、先頭位置にオール０又はオール１の１バイトデータによって成る同期パターンを及びクラスタアドレス及びセクターアドレスを示すアドレス等が４バイト付加され、以上でヘッダとされる。
また、ヘッダに続いて所定アドレス位置に『ＭＩＮＩ』という文字に対応したアスキーコードによる識別ＩＤが付加され、Ｐ−ＴＯＣの領域であることが示される。
【００３５】
さらに、続いてディスクタイプや録音レベル、記録されている最初の楽曲の曲番（Ｆｉｒｓｔ  ＴＮＯ）、最後の楽曲の曲番（Ｌａｓｔ  ＴＮＯ）  、リードアウトスタートアドレスＬＯＡ  、パワーキャルエリアスタートアドレスＰＣＡ  、Ｕ−ＴＯＣのスタートアドレスＵＳＴＡ  、録音可能なエリア（レコーダブルユーザーエリア）のスタートアドレスＲＳＴＡ  等が記録される。
【００３６】
続いて、ピット形態で記録されている各楽曲等を後述する管理テーブル部におけるパーツテーブルに対応させるテーブルポインタ（Ｐ−ＴＮＯ１  〜Ｐ−ＴＮＯ２５５）  を有する対応テーブル指示データ部が用意されている。
【００３７】
そして対応テーブル指示データ部に続く領域には、テーブルポインタ（Ｐ−ＴＮＯ１  〜Ｐ−ＴＮＯ２５５）  に対応されることになる、（０１ｈ）  〜（ＦＦｈ）  までの２５５個のパーツテーブルが設けられた管理テーブル部が用意される。なお本明細書において『ｈ』を付した数値はいわゆる１６進表記のものである。
それぞれのパーツテーブルには、或るパーツについて起点となるスタートアドレス、終端となるエンドアドレス、及びそのパーツのモード情報（トラックモード）が記録できるようになされている。
【００３８】
各パーツテーブルにおけるトラックのモード情報とは、そのパーツが例えばオーバーライト禁止やデータ複写禁止に設定されているか否かの情報や、オーディオ情報か否か、モノラル／ステレオの種別などが記録されている。
【００３９】
管理テーブル部における（０１ｈ）  〜（ＦＦｈ）  までの各パーツテーブルは、テーブルポインタ  （Ｐ−ＴＮＯ１〜Ｐ−ＴＮＯ２５５）  によって、そのパーツの内容が示される。つまり、第１曲目の楽曲についてはテーブルポインタＰ−ＴＮＯ１として或るパーツテーブル（例えば（０１ｈ）  ）が記録されており、この場合パーツテーブル（０１ｈ）  のスタートアドレスは第１曲目の楽曲の記録位置のスタートアドレスとなり、同様にエンドアドレスは第１曲目の楽曲が記録された位置のエンドアドレスとなる。さらに、トラックモード情報はその第１曲目についての情報となる。
なお、実際にはテーブルポインタには所定の演算処理によりＰ−ＴＯＣセクター０内のバイトポジションで或るパーツテーブルを示すことができる数値が記されている。
【００４０】
同様に第２曲目についてはテーブルポインタＰ−ＴＮＯ２に示されるパーツテーブル（例えば（０２ｈ）  ）に、その第２曲目の記録位置のスタートアドレス、エンドアドレス、及びトラックモード情報が記録されている。
以下同様にテーブルポインタはＰ−ＴＮＯ２５５まで用意されているため、Ｐ−ＴＯＣ上では第２５５曲目まで管理可能とされている。
そして、このようにＰ−ＴＯＣセクター０が形成されることにより、例えば再生時において、所定の楽曲をアクセスして再生させることができる。
【００４１】
なお、記録／再生可能な光磁気ディスクの場合いわゆるプリマスタードの楽曲エリアが存在しないため、上記した対応テーブル指示データ部及び管理テーブル部は用いられず（これらは続いて説明するＵ−ＴＯＣで管理される）、従って各バイトは全て『００ｈ』とされている。
ただし、全ての楽曲がＲＯＭ形態（ピット形態）で記録されているプリマスタードタイプのディスク、及び楽曲等が記録されるエリアとしてＲＯＭエリアと光磁気エリアの両方を備えたハイブリッドタイプのディスクについては、そのＲＯＭエリア内の楽曲の管理に上記対応テーブル指示データ部及び管理テーブル部が用いられる。
【００４２】
３．Ｕ−ＴＯＣセクター
続いてＵ−ＴＯＣとしてＵ−ＴＯＣのセクター０及びセクター１の説明を行なう。なお、Ｕ−ＴＯＣセクターとしてはセクター０〜セクター７まで構成することができ、セクター２は録音日時情報を記録するエリア、セクター４はトラックやディスクに対応する文字情報を漢字、欧州文字などで記録できるエリアとされている。他は未定義である。これらは本発明と直接関係ないため説明を省略する。
【００４３】
・Ｕ−ＴＯＣセクター０
図８はＵ−ＴＯＣセクター０のフォーマットを示しており、主にユーザーが録音を行なった楽曲や新たに楽曲が録音可能なフリーエリアについての管理情報が記録されているデータ領域とされる。
例えばディスク１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００４４】
図８に示すＵ−ＴＯＣセクター０には、Ｐ−ＴＯＣと同様にまずヘッダが設けられ、続いて所定アドレス位置に、メーカーコード、モデルコード、最初の楽曲の曲番（Ｆｉｒｓｔ  ＴＮＯ）、最後の楽曲の曲番（Ｌａｓｔ  ＴＮＯ）、セクター使用状況（Ｕｓｅｄ  ｓｅｃｔｏｒｓ）、ディスクシリアルナンバ、ディスクＩＤ等のデータが記録される。
【００４５】
さらに、ユーザーが録音を行なって記録されている楽曲の領域やフリーエリア等を後述する管理テーブル部に対応させることによって識別するため、対応テーブル指示データ部として各種のテーブルポインタ（Ｐ−ＤＦＡ，Ｐ−ＥＭＰＴＹ  ，Ｐ−ＦＲＡ  ，Ｐ−ＴＮＯ１〜Ｐ−ＴＮＯ２５５）  が記録される領域が用意されている。
【００４６】
そしてテーブルポインタ（Ｐ−ＤＦＡ〜Ｐ−ＴＮＯ２５５）  に対応させることになる管理テーブル部として（０１ｈ）  〜（ＦＦｈ）  までの２５５個のパーツテーブルが設けられ、それぞれのパーツテーブルには、上記図７のＰ−ＴＯＣセクター０と同様に或るパーツについて起点となるスタートアドレス、終端となるエンドアドレス、そのパーツのモード情報（トラックモード）が記録されている。
さらにこのＵ−ＴＯＣセクター０の場合、各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
【００４７】
この種の記録再生装置では、１つの楽曲のデータを物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。
そのため、リンク情報が設けられ、例えば各パーツテーブルに与えられたナンバ（０１ｈ）  〜（ＦＦｈ）  によって、連結すべきパーツテーブルを指定することによってパーツテーブルが連結できるようになされている。
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理はなされる。
【００４８】
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
また、プリマスタードディスク等においてピット形態で記録される楽曲等については通常パーツ分割されることがないため、前記図７のとおりＰ−ＴＯＣセクター０においてリンク情報はすべて『（００ｈ）  』とされている。
【００４９】
Ｕ−ＴＯＣセクター０の管理テーブル部における（０１ｈ）  〜（ＦＦｈ）  までの各パーツテーブルは、テーブルポインタ（Ｐ−ＤＦＡ，Ｐ−ＥＭＰＴＹ  ，Ｐ−ＦＲＡ  ，Ｐ−ＴＮＯ１〜Ｐ−ＴＮＯ２５５）  によって、以下のようにそのパーツの内容が示される。
【００５０】
テーブルポインタＰ−ＤＦＡ  は光磁気ディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタＰ−ＤＦＡ  において（０１ｈ）  〜（ＦＦｈ）  のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『（００ｈ）  』とされ、以降リンクなしとされる。
【００５１】
テーブルポインタＰ−ＥＭＰＴＹ  は管理テーブル部における１又は複数の未使用のパーツテーブルの先頭のパーツテーブルを示すものであり、未使用のパーツテーブルが存在する場合は、テーブルポインタＰ−ＥＭＰＴＹ  として、（０１ｈ）  〜（ＦＦｈ）  のうちのいづれかが記録される。未使用のパーツテーブルが複数存在する場合は、テーブルポインタＰ−ＥＭＰＴＹ  によって指定されたパーツテーブルからリンク情報によって順次パーツテーブルが指定されていき、全ての未使用のパーツテーブルが管理テーブル部上で連結される。
【００５２】
テーブルポインタＰ−ＦＲＡ  は光磁気ディスク１上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタＰ−ＦＲＡ  において（０１ｈ）  〜（ＦＦｈ）  のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『（００ｈ）  』となるパーツテーブルまで順次指定されている。
【００５３】
図９にパーツテーブルにより、フリーエリアとなるパーツの管理状態を模式的に示す。これはパーツ（０３ｈ）（１８ｈ）（１Ｆｈ）（２Ｂｈ）（Ｅ３ｈ）  がフリーエリアとされている時に、この状態が対応テーブル指示データＰ−ＦＲＡ  に引き続きパーツテーブル（０３ｈ）（１８ｈ）（１Ｆｈ）（２Ｂｈ）（Ｅ３ｈ）  のリンクによって表現されている状態を示している。なお上記した欠陥領域や未使用パーツテーブルの管理形態もこれと同様となる。
【００５４】
ところで、全く楽曲等の音声データの記録がなされておらず欠陥もない光磁気ディスクであれば、テーブルポインタＰ−ＦＲＡ  によってパーツテーブル（０１ｈ）  が指定され、これによってディスクのレコーダブルユーザーエリアの全体がフリーエリアであることが示される。そして、この場合残る（０２ｈ）  〜（ＦＦｈ）  のパーツテーブルは使用されていないことになるため、上記したテーブルポインタＰ−ＥＭＰＴＹ  によってパーツテーブル（０２ｈ）  が指定され、また、パーツテーブル（０２ｈ）  のリンク情報としてパーツテーブル（０３ｈ）  が指定され・・・・・・、というようにパーツテーブル（ＦＦｈ）  まで連結される。この場合パーツテーブル（ＦＦｈ）  のリンク情報は以降連結なしを示す『（００ｈ）  』とされる。
なお、このときパーツテーブル（０１ｈ）  については、スタートアドレスとしてはレコーダブルユーザーエリアのスタートアドレスが記録され、またエンドアドレスとしてはリードアウトスタートアドレスの直前のアドレスが記録されることになる。
【００５５】
テーブルポインタＰ−ＴＮＯ１〜Ｐ−ＴＮＯ２５５は、光磁気ディスク１にユーザーが記録を行なった楽曲について示しており、例えばテーブルポインタＰ−ＴＮＯ１では１曲目のデータが記録された１又は複数のパーツのうちの時間的に先頭となるパーツが示されたパーツテーブルを指定している。
例えば１曲目とされた楽曲がディスク上でトラックが分断されずに、つまり１つのパーツで記録されている場合は、その１曲目の記録領域はテーブルポインタＰ−ＴＮＯ１で示されるパーツテーブルにおけるスタート及びエンドアドレスとして記録されている。
【００５６】
また、例えば２曲目とされた楽曲がディスク上で複数のパーツに離散的に記録されている場合は、その楽曲の記録位置を示すため各パーツが時間的な順序に従って指定される。つまり、テーブルポインタＰ−ＴＮＯ２に指定されたパーツテーブルから、さらにリンク情報によって他のパーツテーブルが順次時間的な順序に従って指定されて、リンク情報が『（００ｈ）  』となるパーツテーブルまで連結される（上記、図９と同様の形態）。このように例えば２曲目を構成するデータが記録された全パーツが順次指定されて記録されていることにより、このＵ−ＴＯＣセクター０のデータを用いて、２曲目の再生時や、その２曲目の領域へのオーバライトを行なう際に、光学ヘッド３及び磁気ヘッド６をアクセスさせ離散的なパーツから連続的な音楽情報を取り出したり、記録エリアを効率使用した記録が可能になる。
【００５７】
・Ｕ−ＴＯＣセクター１
次に、図１０にＵ−ＴＯＣセクター１のフォーマットを示す。このセクターは録音された各トラックにトラックネームをつけたり、ディスクタイトルをつける場合に、入力された文字情報を記録するデータ領域とされる。
【００５８】
このＵ−ＴＯＣセクター１には、記録された各トラックに相当する文字スロット指示データ部としてスロットポインタＰ−ＴＮＡ１〜Ｐ−ＴＮＡ２５５が用意され、またこのスロットポインタＰ−ＴＮＡ１〜Ｐ−ＴＮＡ２５５によって指定される文字スロット部が１単位８バイトで２５５単位のスロット（０１ｈ）  〜（ＦＦｈ）  として用意されており、上述したＵ−ＴＯＣセクター０とほぼ同様の形態で文字データを管理する。
【００５９】
スロット（０１ｈ）  〜（ＦＦｈ）  にはディスクタイトルやトラックネームとしての文字情報がアスキーコードで記録される。なお、スロット（０１ｈ）  の前の８バイトはディスクネームの専用エリアとされている。
そして、例えばスロットポインタＰ−ＴＮＡ１によって指定されるスロットには第１トラックに対応してユーザーが入力した文字が記録されていることになる。また、スロットがリンク情報によりリンクされることで、１つのトラックに対応する文字入力は７バイト（７文字）より大きくなっても対応できる。
なお、このＵ−ＴＯＣセクター１でもスロットポインタＰ−ＥＭＰＴＹ  は使用していないパーツテーブルを管理するものである。
【００６０】
４．ＥＯＭ制御動作
以上のようにＴＯＣ情報が構成されるディスクに対して、本実施例の記録再生装置では、ユーザーがディスクに記録された各トラックに対応してトラック名などの文字情報を記録することができる。即ちユーザーが操作部１９からの操作でトラックを指定して文字情報を入力すると、その文字がＵ−ＴＯＣセクター１において指定されたトラックに対応して記録されることになる。
ここで、さらに本実施例では、トラック名などの任意の文字情報のほかに、特定の制御文字情報をトラックに対応してＵ−ＴＯＣセクター１に記録できるようにしている。制御文字情報とは、例えばＥＯＭ動作やフェードイン／フェードアウト動作のための情報となる。
まずＥＯＭ動作のための制御文字情報について説明する。
【００６１】
本実施例ではＥＯＭ動作のための特定の制御文字情報は、『ＥＯＭ−ｘ』であるとする。『ｘ』とはＥＯＭ動作開始タイミングの時間の値とする。
図１に示した操作部１９には上述した各種キーの他に、ＥＯＭキー、数字入力キーが設けられているとする。なお、上述したように、文字入力に関しては、通常の文字入力のためのアルファベットキーや、文字入力モードとするための編集モードキー、トラックナンバ指定のためのキーも設けられている。
なお実際には、数字入力キー、トラックナンバ指定のためのキー、アルファベットキーは兼用させることができる。
【００６２】
制御文字情報の入力は通常の文字入力と同様に、編集機能の文字入力モードとして実行すればよい。
図２は文字情報入力時のシステムコントローラ１１の処理例を示しており、文字入力モードとされる操作が行なわれると処理はステップＦ３０１からＦ３０２に進む。ここで文字入力についてトラックが指定されていなければディスク名入力モード動作に進む（Ｆ３０３）。或るトラックの再生中、一時停止中、もしくはトラックナンバ入力操作などでトラックが指定されている場合は、そのトラックに対応する文字情報の入力モード動作に進む。
【００６３】
この場合、ステップＦ３０４で指定されたトラックについて入力されている文字が表示部２０に表示されながら、ユーザーのＥＯＭキーの操作（Ｆ３０５）や文字入力操作（Ｆ３０６）に応じて文字が入力されていく。
例えば、アルファベットキーで文字が入力された場合は、その入力された文字がそのトラックに対応する文字列に追加され、表示部２０に表示される（Ｆ３０６，Ｆ３１２，Ｆ３０４）。従ってユーザーは表示部２０を見ながら文字入力を進めていくことで、トラック名となる任意の文字を入力することができる。
【００６４】
一方、そのトラックの再生時にＥＯＭ制御を実行させたい場合は、ユーザーはＥＯＭキーを操作し、さらにＥＯＭ制御時間値、つまり再生終了まで何秒のタイミングでトラック再生終了のメッセージ表示を実行させるかの設定時間を入力する（Ｆ３０５，Ｆ３０６）  。するとシステムコントローラ１１は、既にトラック名などの文字列が入力されているか否かを判断し、入力されていなければ『ＥＯＭ−ｘ；』という文字列を発生させ、文字列として加える。『ｘ』とはＥＯＭ制御時間値として入力された数値である  （Ｆ３０９→Ｆ３１１）  。
また既にトラック名などの文字列が入力されていたら『；』という文字を発生させたうえで『ＥＯＭ−ｘ；』という文字列を発生させ、文字列として加える。
（Ｆ３０９→Ｆ３１０→Ｆ３１１）  。
【００６５】
例えば、ユーザーが或るトラックについて再生終了１０秒前でＥＯＭ動作を実行させたい場合は、ＥＯＭキーに続いて『１０』という数字を入力すればよく、その場合『ＥＯＭ−１０；』もしくは『；ＥＯＭ−１０；』という文字列が発生されて入力文字列として設定される。この『ＥＯＭ−１０』という文字列はＥＯＭ動作のための制御文字情報となる。また制御文字情報はトラック名となる文字列に連続して加えられることになるため、区切りコードとなる『；』によって、制御文字情報としての文字列部分が区別されるようにしている。
【００６６】
これらの文字入力制御は文字入力モードの終了操作に応じてステップＦ３０７からＦ３１３に進み、その時点で入力されている文字列をバッファＲＡＭ１３に記憶されているＵ−ＴＯＣセクター１に、指定されたトラックに対応して書き加えることで終了される。
なお、ＥＯＭ動作のための制御文字情報は、ＥＯＭキーを用いて入力するようにしたが、ＥＯＭキーが設けられていないような記録装置では、通常の文字入力操作で（『；』）『Ｅ』『Ｏ』『Ｍ』『−』『１』『０』『；』と１文字づつ入力していき、最終的に『ＥＯＭ−１０；』もしくは『；ＥＯＭ−１０；』という文字列が入力されるようにすればよい。
【００６７】
例えばトラック１〜トラック４について文字情報がＵ−ＴＯＣセクター１に記録されている場合の記録文字列の例を図４（ａ）に示す。
この場合、トラック１については『ＡＢＣ；ＥＯＭ−５；』という文字情報が記録されており、即ち『ＡＢＣ』はトラック名として入力された文字列で、また『；』で区切られる『ＥＯＭ−５』という文字列が、ＥＯＭ制御文字情報として記録されている状態である。つまり、トラック１の再生動作時には、再生終了５秒前からＥＯＭ動作を実行すべき旨のＥＯＭ制御文字情報が記録されている。
【００６８】
またトラック２については、ＥＯＭ制御文字情報が入力されておらず、トラック名『ＤＥＦ』のみが記録されている。
トラック３については『ＧＨＩ；ＥＯＭ−１０；』という文字情報が記録されており、即ちトラック名『ＧＨＩ』と、ＥＯＭ制御文字情報『ＥＯＭ−１０』という文字列が記録されている。
トラック４については『ＪＫＬ；ＥＯＭ−０；』という文字情報が記録されており、即ちトラック名『ＪＫＬ』と、ＥＯＭ制御文字情報『ＥＯＭ−０』という文字列が記録されている。『ＥＯＭ−０』とは、ＥＯＭ制御を実行しないという意味のＥＯＭ制御文字情報となる。
【００６９】
この図４（ａ）のように文字情報が記録されている場合を例に上げて、以下、再生時の動作を説明する。
再生時のシステムコントローラ１１の処理は図３に示される。
或るトラックの再生が開始されると、まずシステムコントローラ１１はそのトラックに対応してＵ−ＴＯＣセクター１上で記録されている文字情報の判別を行なう  （Ｆ１０１→Ｆ１０２）  。ここで、ＥＯＭ制御文字情報が含まれているか否かを判別し（Ｆ１０３）、含まれていたら、そのＥＯＭ制御文字情報に基づいて制御変数をセットする（Ｆ１０４）。例えば図４（ａ）のトラック１であれば、再生終了５秒前からＥＯＭ動作を実行すべく、制御変数をセットする。また、トラック４であればＥＯＭ動作を行なわないように制御変数をセットすることになる。
【００７０】
ステップＦ１０３でＥＯＭ制御文字情報が含まれていないと判断された場合は、システムコントローラ１１の内部のＲＡＭ１１ａなどに記憶設定されているＥＯＭ制御情報に基づいて制御変数をセットする（Ｆ１０５）。例えばシステムコントローラ１１では特にトラック毎の指定がない場合は、トラック終了まで所定の秒数となった時点でＥＯＭ動作を実行させるように設定しておくことができる。いま、一例としてシステムコントローラ１１自身ではＥＯＭ動作は再生終了７秒前からＥＯＭ動作を実行するように設定されているとする。
再生するトラックについて、図４（ａ）のトラック２のようにＥＯＭ制御文字情報が含まれていないものであった場合は、この記録再生装置本体でシステムコントローラ１１に設定されているＥＯＭ動作が行なわれることになり、つまり制御変数がＥＯＭ７秒としてセットされることになる。
【００７１】
このようにステップＦ１０４又はＦ１０５でＥＯＭ動作タイミングが設定されたら、再生動作の残り時間がそのＥＯＭ動作タイミングに達することを監視しており（Ｆ１０６）、達したら、ＥＯＭ動作を開始する（Ｆ１０７）。例えば表示部２０において全ての表示内容を点滅させたり、もしくはそのトラックの再生終了直前であることを示す表示等を実行する。
このＥＯＭ動作はそのトラックの再生が終了するまで行なわれ、再生が次のトラックに移ったら（Ｆ１０８）、ＥＯＭ動作は終了されて（Ｆ１０９）、ステップＦ１０２に戻り、再び再生されるトラックについてのＥＯＭ設定処理に入ることになる。
【００７２】
図４（ａ）のトラック１〜トラック４が連続して再生される場合を考えると、図３のような制御によって、図４（ｂ）（ｃ）に模式的に示すような動作制御が実行されることになる。
ｔ０  時点で再生が開始されたトラック１は、ｔ２  時点で再生が終了するとする。すると、『ＥＯＭ−５』というＥＯＭ制御文字情報により、ｔ２  時点の５秒前のｔ１  時点から、図４（ｃ）のようにＥＯＭ表示動作が行なわれる。
またトラック２はｔ４  時点で再生が終了するとすると、トラック２についてはＥＯＭ制御文字情報が記録されていないため、システムコントローラ１１内で設定されているＥＯＭ動作、即ち、ｔ４  時点の７秒前のｔ３  時点から、図４（ｃ）のようにＥＯＭ表示動作が行なわれることになる。
【００７３】
トラック３はｔ６  時点で再生が終了するとする。すると、『ＥＯＭ−１０』というＥＯＭ制御文字情報により、ｔ６  時点の１０秒前のｔ５  時点から、図４（ｃ）のようにＥＯＭ表示動作が行なわれる。
またトラック４はｔ７  時点で再生が終了するとする。トラック４については『ＥＯＭ−０』というＥＯＭ制御文字情報が記録されており、つまりＥＯＭ表示動作を実行しない旨の指定である。従って図４（ｃ）のようにＥＯＭ表示動作は行なわれない。
【００７４】
以上の説明から分かるように本実施例では、ＥＯＭ情報は文字情報として各トラックに対応した状態でＵ−ＴＯＣ内に記録されるため、ＥＯＭ動作についてトラック単位で管理することができる。
なお、再生時のトラック名表示動作としては、『；』で区切られる文字列単位で実行できるようにするとよい。例えば図４（ａ）のトラック１の再生中には、通常は『ＡＢＣ』という文字のみが表示されるようにし、表示モードの切り換えに従って『ＥＯＭ−５』という表示が実行されるようにすると、トラック名については通常どおり表示できるとともに、ＥＯＭ設定状態を確認したいときなど、必要に応じてＥＯＭ文字情報を表示できるようになる。
なお、この点は次に説明するフェードイン／フェードアウトのための制御文字情報についても同様である。
【００７５】
５．フェードイン／フェードアウト制御動作
以上のＥＯＭ制御と同様に、本実施例ではフェードイン／フェードアウト制御動作についても各トラック単位で設定できる。
つまり、フェードイン／フェードアウト制御のための特定の制御文字情報をトラックに対応してＵ−ＴＯＣセクター１に記録できるようにしている。
【００７６】
本実施例ではフェードイン制御のための特定の制御文字情報は『ＦＡＤＥＩＮ−ｘ』であるとする。またフェードアウト制御のための特定の制御文字情報は、『ＦＡＤＥＯＵＴ−ｘ』であるとする。『ｘ』とはフェードイン／フェードアウト動作の実行期間の値とする。
【００７７】
この場合、文字情報の入力動作については、図２で説明した処理とほぼ同様であり、操作部１９においてフェードインキー、フェードアウトキーを設けた場合は、その操作を図２のＥＯＭキーの操作と同様とすればよい。
即ち、文字入力モードにおいてフェードインキーと数字入力を行なうことで、『ＦＡＤＥＩＮ−ｘ；』又は『；ＦＡＤＥＩＮ−ｘ；』という文字列が発生され、入力文字列として設定されたものとなる。同様にフェードアウトキーと数字入力を行なうことで、『ＦＡＤＥＯＵＴ−ｘ；』又は『；ＦＡＤＥＯＵＴ−ｘ；』という文字列が発生され、入力文字列として設定されたものとなる。
もちろん、フェードインキー、フェードアウトキーを用いず、各文字を１文字づつ入力していって『ＦＡＤＥＩＮ−ｘ；』のような文字入力を行なうこともできる。
【００７８】
例えばトラック１〜トラック３について、フェードイン／フェードアウト制御に関する文字情報がＵ−ＴＯＣセクター１に記録されている場合の記録文字列の例を図６（ａ）に示す。
この場合、トラック１については『ＡＢＣ；ＦＡＤＥＯＵＴ−５；』という文字情報が記録されており、即ちトラック名『ＡＢＣ』と、『；』で区切られる『ＦＡＤＥＯＵＴ−５』という文字列が、フェードアウト制御文字情報として記録されている。
つまり、トラック１の再生動作時には、再生終了５秒前からフェードアウト動作を実行すべき旨のフェードアウト制御文字情報が記録されている。
【００７９】
またトラック２については『ＤＥＦ；ＦＡＤＥＩＮ−１０；ＦＡＤＥＯＵＴ−７；』という文字情報が記録されている。つまりトラック名『ＤＥＦ』と、再生開始から１０秒の間でフェードインを行なうべき旨のフェードイン制御文字情報、及び再生終了７秒前からフェードアウト動作を実行すべき旨のフェードアウト制御文字情報が記録されている。
またトラック３については『ＧＨＩ；ＦＡＤＥＩＮ−５；』という文字情報が記録されている。つまりトラック名『ＧＨＩ』と、再生開始から５秒の間でフェードインを行なうべき旨のフェードイン制御文字情報が記録されている。
なお、この例ではあげていないが、フェードイン／フェードアウトを実行させない場合は、『ＦＡＤＥＩＮ−０』『ＦＡＤＥＯＵＴ−０』という文字を記録しておけばよい。
【００８０】
この図６（ａ）のように文字情報が記録されている場合を例に上げて、以下、再生時の動作を説明する。
フェーダー制御のための再生時のシステムコントローラ１１の処理は図５に示される。
或るトラックの再生が開始されると、まずシステムコントローラ１１はそのトラックに対応してＵ−ＴＯＣセクター１上で記録されている文字情報の判別を行なう  （Ｆ２０１→Ｆ２０２）  。ここで、フェードイン制御文字情報が含まれているか否かを判別し（Ｆ２０３）、含まれていたら、そのフェードイン制御文字情報に基づいて制御変数をセットする（Ｆ２０４）。例えば図６（ａ）のトラック２であれば、再生開始から１０秒の期間でフェードイン動作を実行すべく、制御変数をセットする。
【００８１】
ステップＦ２０３でフェードイン制御文字情報が含まれていないと判断された場合は、システムコントローラ１１の内部のＲＡＭ１１ａなどに記憶設定されているフェードイン制御情報に基づいて制御変数をセットする（Ｆ２０５）。上述したＥＯＭの場合と同様にシステムコントローラ１１ではフェードイン／フェードアウトの制御について特定の設定値を保持しておくことができる。そしてフェードイン／フェードアウトについて特にトラック毎の指定がない場合は、その特定の設定値を有効として用いることとしている。
いま、一例としてシステムコントローラ１１自身ではフェードインに関しては実行せず、フェードアウトについては再生終了１０秒前から動作を実行するように設定されているとする。
再生するトラックについて、図６（ａ）のトラック１のようにフェードイン制御文字情報が含まれていないものであった場合は、この記録再生装置本体でシステムコントローラ１１に設定されているフェードイン動作が行なわれることになり、つまりフェードイン動作は行なわれないものとしてセットされることになる。
【００８２】
このようにステップＦ２０４又はＦ２０５でフェードイン動作が設定されたら、続いてステップＦ２０６〜Ｆ２０８でフェードアウトに関する設定を行なう。即ち、フェードインと同様に、文字情報内にフェードアウト制御文字情報が含まれているか否かを判断し、含まれていればそのフェードアウト制御文字情報に基づいてフェードアウト制御変数をセットする。また含まれていなければ、システムコントローラ１１内で設定されているフェードアウト制御変数がセットされる。例えば再生終了１０秒前からフェードアウト動作を実行するようにセットされる。
【００８３】
以上のフェードイン、フェードアウトについての設定を行なったら、まず再生開始時点であるのでフェードイン設定に基づいた制御を行なう（Ｆ２０９）。つまり、再生開始時点からセットされた期間で再生音声出力についてフェードインが実行されるように、システムコントローラ１１は音声処理部１５に対して徐々に音声レベルを上げていくような制御を行なう。
また、その後は再生動作の残り時間がセットされたフェードアウト動作タイミングに達することを監視しており（Ｆ２１０）、達したら、トラック再生終了時点まで徐々に音声レベルを下げていくように音声処理部１５に対する制御を行ない、フェードアウトを実行させる（Ｆ２１１）。
再生が次のトラックに移ったら（Ｆ２１２）、ステップＦ２０２に戻り、再び再生されるトラックについてのフェードイン／フェードアウト設定処理に入ることになる。
【００８４】
図６（ａ）のトラック１〜トラック３が連続して再生される場合を考えると、図５のような制御によって、図６（ｂ）（ｃ）に模式的に示すような動作制御が実行されることになる。
ｔ１０時点で再生が開始されるトラック１については、フェードインは行なわれないことになるため、音声処理部１５のフェーダー制御レベルは、図６（ｃ）のように再生開始時点から最大の状態とされている。
そしてトラック１がｔ１２時点で再生が終了するとすると、『ＦＡＤＥＯＵＴ−５』というフェードアウト制御文字情報により、ｔ１２時点の５秒前のｔ１１時点からｔ１２時点までの間で、図６（ｃ）のようにフェーダー制御レベルが下げられていき、フェードアウト動作が行なわれる。
【００８５】
またトラック２は『ＦＡＤＥＩＮ−１０』というフェードイン制御文字情報により、再生が開始されるｔ１２時点から１０秒後のｔ１３時点までの間、図６（ｃ）のようにフェーダー制御レベルが徐々に上げられていき、フェードイン動作が行なわれる。
そしてトラック２はｔ１５時点で再生が終了するとすると、『ＦＡＤＥＯＵＴ−７』というフェードアウト制御文字情報により、ｔ１５時点の７秒前のｔ１４時点から、ｔ１５時点までの間で、図６（ｃ）のようにフェーダー制御レベルが徐々に下げられていき、フェードアウト動作が行なわれる。
【００８６】
またトラック３は『ＦＡＤＥＩＮ−５』というフェードイン制御文字情報により、再生が開始されるｔ１５時点から５秒後のｔ１６時点までの間、図６（ｃ）のようにフェーダー制御レベルが徐々に上げられていき、フェードイン動作が行なわれる。
そしてトラック３はｔ１８時点で再生が終了すると。トラック３についてはフェードアウト制御文字情報が記録されていないため、システムコントローラ１１に設定されているフェードアウト制御値により、例えばこの場合１０秒期間でのフェードアウト動作が実現される。即ちｔ１８時点の１０秒前のｔ１７時点から、ｔ１８時点までの間で、図６（ｃ）のようにフェーダー制御レベルが徐々に下げられていき、フェードアウト動作が行なわれる。
【００８７】
以上の説明から分かるように本実施例では、フェードイン／フェードアウト情報は文字情報として各トラックに対応した状態でＵ−ＴＯＣ内に記録されるため、これらのフェードイン／フェードアウト動作についてトラック単位で管理することができる。
【００８８】
なお、フェードイン／フェードアウト動作と、ＥＯＭ動作については分けて説明したが、実際には複合的に機能させることができることはいうまでもない。例えば文字情報として『ＡＢＣ；ＥＯＭ−５；ＦＡＤＥＩＮ−５；ＦＡＤＥＯＵＴ−７；』などのように記録しておけば、そのトラックの再生について、ＥＯＭ動作、フェードイン動作、フェードアウト動作をそれぞれ設定できることになる。
【００８９】
６．他の各種制御動作
以上、ＥＯＭ動作、フェードイン／フェードアウト動作について説明してきたが、これ以外にも同様に制御文字情報を設定することできる。
例えば再生時のイコライジング処理、リバーブ処理、ディレイ処理、コンプレッサ処理などについてもそれぞれ制御文字情報を設定し、トラック毎に制御されるようにすることもできる。
例えば、イコライジング処理に関しては、『；ＬＯＷＣＵＴ−１００Ｈｚ；ＬＯＷＣＵＴ−１．０ｄＢ；ＨＩＣＵＴ−８ＫＨｚ；ＨＩＣＵＴ−２．０ｄＢ；』などのように文字情報を設定することが考えられる。この場合、再生時に１００Ｈｚ以下を１ｄＢカットし、８ＫＨｚ以上を２ｄＢカットするような制御が行なわれるようにすればよい。
もちろん、これ以外にも各種制御態様は考えられる。
【００９０】
なお、制御文字情報については、表示させて内容確認する際の便宜を考えて、なるべくその文字情報を見ただけで制御動作内容が分かるものとすることが好ましい。つまり実施例のようにＥＯＭ機能についての制御文字情報であれば『ＥＯＭ−ｘ』、フェードイン機能についての制御文字情報であれば『ＦＡＤＥＩＮ−ｘ』などのようにしておけば、制御内容の確認は容易となる。
【００９１】
なお、上述の実施例は一例であり、本発明としては例えばＥＯＭ動作、フェードイン／フェードアウト動作についても、制御文字情報の設定や、動作処理方式などについて各種変形例が考えられることはいうまでもない。また、『；』の文字で制御文字情報を区切るようにしたが、区切りコードとなる文字は他の文字又は文字列を設定してもよい。また区切りコードを挿入する位置も上記のように制御文字情報の前後とする必要はなく、例えば制御文字情報の前のみとすることなども考えられる。
【００９２】
【発明の効果】
以上説明したように本発明の再生装置は、再生時に各トラックに対応する文字情報から制御文字情報を抽出し、それに基づいて必要な動作制御が行なわれるようにしているため、トラック単位で実行されるべき動作を設定できるという効果がある。特にＥＯＭ機能やフェードイン／フェードアウト機能などについてトラック単位で設定できることで、放送業務などでの使用については非常に好適なものとなる。
【００９３】
また、文字情報を記録できる本発明の記録装置としては、制御文字情報を入力するための操作手段を設けていることにより、特定の制御文字情報の入力を１文字づつ実行する必要はなく、入力操作を簡単なものとすることができるという効果がある。また、区切りコードにより他の文字列と区別することで、通常の文字表示などの際にも、制御文字情報については表示させないなどの所要の制御が可能となる。
【図面の簡単な説明】
【図１】本発明の実施例の記録再生装置のブロック図である。
【図２】実施例の文字入力操作時の処理のフローチャートである。
【図３】実施例のＥＯＭ処理のフローチャートである。
【図４】実施例の再生時のＥＯＭ動作の説明図である。
【図５】実施例のフェードイン／フェードアウト処理のフローチャートである。
【図６】実施例の再生時のフェードイン／フェードアウト動作の説明図である。
【図７】ミニディスクのＰ−ＴＯＣセクター０の説明図である。
【図８】ミニディスクのＵ−ＴＯＣセクター０の説明図である。
【図９】ミニディスクのＵ−ＴＯＣセクター０のリンク構造の説明図である。
【図１０】ミニディスクのＵ−ＴＯＣセクター１の説明図である。
【符号の説明】
１  ディスク
３  光学ヘッド
５  スレッド機構
７  ＲＦアンプ
８  エンコーダ／デコーダ部
９  サーボ回路
１０  アドレスデコーダ
１１  システムコントローラ
１２  メモリコントローラ
１３  バッファＲＡＭ
１４  エンコーダ／デコーダ部
１５  音声処理部
１９  操作部
２０  表示部
【図１】
0003550769.tif 000002
【図２】
0003550769.tif 000003
【図３】
0003550769.tif 000004
【図４】
0003550769.tif 000005
【図５】
0003550769.tif 000006
【図６】
0003550769.tif 000007
【図７】
0003550769.tif 000008
【図８】
0003550769.tif 000009
【図９】
0003550769.tif 000010
【図１０】
0003550769.tif 000011